(57)【特許請求の範囲】
【請求項１】
コンピュータ断層撮影システムにおいて、
透視検査走査により取得された、連続した複数の画像を記憶するメモリ・バッファと、
表示装置と、
患者に対する透視検査走査手順中に、前記表示装置上の前記患者の画像を制御することを可能にするコントローラと、
前記メモリ・バッファ、前記表示装置及び、前記コントローラに結合したプロセッサと、
を備えており、
前記コントローラは、「ページ戻る／進む」コマンドを入力可能であり、前記プロセッサは、前記「ページ戻る／進む」コマンドに従って、前記連続した複数の画像の少なくとも１つの画像を前記表示装置に表示させることを特徴とするコンピュータ断層撮影システム。
【請求項２】
当該システムは更に患者テーブルを含んでおり、前記コントローラは、オペレータが手で持てる手元式であり、該オペレータが走査パラメータの選択及び患者テーブルの移動を制御することを可能にする走査及び移動制御を含んでいる請求項１に記載のコンピュータ断層撮影システム。
【請求項３】
前記コントローラは、前記オペレータが当該システムをタップ・モードで及び連続走査モードで選択的に動作させることを特徴とする請求項１または２に記載のコンピュータ断層撮影システム。
【請求項４】
前記コントローラは、フット・ペダル、ハンド・スイッチ及び音声始動式制御のうちの少なくとも１つを含んでいる請求項３に記載のコンピュータ断層撮影システム。
【請求項５】
当該システムはＸ線源を含んでおり、前記タップ・モードの際に、前記Ｘ線源は、前記コントローラが始動される各回ごとに少なくとも１つの画像用のデータを収集するのに十分な時間にわたってエネルギ供給される請求項３に記載のコンピュータ断層撮影システム。
【請求項６】
当該システムはＸ線源を含んでおり、前記連続モードの際には、完全な１つの画像を再構成するのに十分なデータが収集された後で、前記Ｘ線源は、前記コントローラが停止された後の所定の時間内にエネルギ供給停止される請求項３に記載のコンピュータ断層撮影システム。
【請求項７】
前記コントローラが、オペレータが走査パラメータ、前記患者テーブルの移動及び前記表示装置上での画像の表示を制御することを可能にする第１のコントローラと、オペレータが当該システムをタップ・モードで及び連続走査モードで選択的に動作させることを可能にする第２のコントローラとを含んでいることを特徴とする請求項２に記載のコンピュータ断層撮影システム。
【請求項８】
前記コントローラは、「保存」コマンドと、「格子」コマンドと、「プリセット・ウィンドウ／レベル」コマンドを入力可能である請求項１乃至７のいずれかに記載のコンピュータ断層撮影システム。
【請求項９】
前記コントローラは、「プレップ」コマンドと、「整列補助灯」コマンドとを入力可能である請求項１又は７に記載のコンピュータ断層撮影システム。
【請求項１０】
前記移動制御は、「テーブル送入」コマンドと、「テーブル送出」コマンドと、「段階送入」コマンドと、「段階送出」コマンドとを含んでいる請求項２又は７に記載のコンピュータ断層撮影システム。
【請求項１１】
前記移動制御は更に、走査用移動コマンドと、自動移動コマンドと、架台自由移動コマンドとを含んでいる請求項１０に記載のコンピュータ断層撮影システム。
【請求項１２】
前記第１のコントローラは更に、前記表示装置上で距離を測定するためのトラック・ボールと、Ｘ線走査開始制御と、ビュー角度制御と、「揺動」制御と、ガントリ・ティルト制御とを含んでいる請求項７に記載のコンピュータ断層撮影システム。
【請求項１３】
前記第１のコントローラは更に、手順中にスライス厚さを修正することを可能にする制御を含んでいる請求項７に記載のコンピュータ断層撮影システム。
【請求項１４】
更に、高速画像更新用のデータを形成するために画像補外を実行するように構成されているプロセッサを含んでいる請求項７に記載のコンピュータ断層撮影システム。
【請求項１５】
前記コンピュータ断層撮影システムは、Ｘ線源と、該Ｘ線源に整列していて、複数の検出器セルを含んでいる前記プロセッサに結合されたＸ線検出器とを含んでおり、前記コントローラは、走査及び移動制御と、画像操作制御とを含んでおり、
前記プロセッサは、多数のビューを１つのビューとして結合することにより第１のセットのデータを圧縮すると共に、圧縮されたビュー相互間で一定のビュー角度増分を維持し、線形補間を用いて前記第１のセットのデータから第２のセットのデータを形成し、少なくとも２つの隣接した検出器セルからの投影データを連結し、分解能の低下を少なくとも部分的に補償し、前記データをオーバースキャン重み付けし、それぞれの画像の各々が形成されるべきそれぞれのビューを選択し、該ビューは、完全な１つの画像を形成するのに要求されるビューの数Ｎと、並行処理パイプの数Ｘと、Ｎビュー回転につき形成される画像の数Ｙとに基づいて選択されており、且つ逆投影に用いられる諸量がビュー相互間の線形化に基づいているような逆投影を実行するように構成されていること、を特徴とする請求項１に記載のコンピュータ断層撮影システム。
【請求項１６】
前記システムは更にガントリを含んでおり、少なくとも１つの整列補助モジュールが、走査平面についての基準を形成するように前記ガントリに装着されている請求項１５に記載のコンピュータ断層撮影システム。
【請求項１７】
前記システムは更にガントリを含んでおり、前記コントローラは更にガントリ・ティルト制御を含んでいる請求項１５に記載のコンピュータ断層撮影システム。
【発明の詳細な説明】
【０００１】
【産業上の利用分野】
本発明は一般的には、コンピュータ断層撮影（ＣＴ）のイメージングに関し、より具体的には、ＣＴ透視検査法システムに関する。
【０００２】
【従来の技術】
少なくとも１つの公知のＣＴシステム構成においては、Ｘ線源がファン（扇形）形状のビームを投射し、このビームは、一般的に「イメージング（作像）平面」と呼ばれるデカルト座標系のＸ−Ｙ平面内に位置するようにコリメートされる。Ｘ線ビームは、患者等のイメージング対象物体を通過する。ビームは、物体によって減衰された後に、放射線検出器の配列（ａｒｒａｙ）に入射する。検出器配列の所で受け取られる減衰したビーム放射線の強度は、物体によるＸ線ビームの減衰量に依存している。配列内の各々の検出器素子は、検出器の位置におけるビーム減衰の測定値である個別の電気信号を発生する。すべての検出器からの減衰測定値が個別に収集されて、透過プロファイルを形成する。
【０００３】
公知の第３世代ＣＴシステムでは、Ｘ線源及び検出器配列は、Ｘ線ビームが物体と交差する角度が定常的に変化するように、イメージング平面内でイメージング対象物体の周りをガントリと共に回転する。１つのガントリ角度における検出器配列からの一群のＸ線減衰測定値、即ち投影データは「ビュー」と呼ばれる。物体の「走査（スキャン）」は、Ｘ線源及び検出器が１回転する間に様々なガントリ角度、即ちビュー角度で形成される１セットのビューで構成されている。軸方向（アキシャル）走査の場合には、投影データを処理して、物体から切り取られた２次元スライスに対応する画像を構成する。投影データの１つのセットから画像を再構成する１つの方法は、当業界でフィルタ補正逆投影法と呼ばれている。この手法は、走査からの減衰測定値を、「ＣＴ数」または「ハンスフィールド（Ｈｏｕｎｓｆｉｅｌｄ）単位」と呼ばれる整数に変換し、これらの整数を用いて、陰極線管表示装置上の対応するピクセル（画素）の輝度を制御するものである。
【０００４】
全走査時間を短縮するために、「螺旋（ヘリカル）」走査を実行することができる。「螺旋」走査を実行するためには、患者を移動させながら、所定の数のスライスについてのデータを収集する。このようなシステムは、１回のファン・ビーム螺旋走査から単一の螺旋を形成する。ファン・ビームによって精密に撮像された螺旋から投影データが得られ、投影データから各々の所定のスライスにおける画像を再構成することができる。
【０００５】
ＣＴ透視検査（ＣＴフルオロ ）システムでは、螺旋走査から収集されたデータを利用して連続した画像のフレームを形成することができ、例えば、患者内部の所望の位置に針をガイドするのを助ける。フレームは、ビューと同様に、イメージング対象物体から切り取られた２次元スライスに対応している。具体的には、投影データは、あるフレーム・レートで処理されて、物体の画像フレームを構成する。
【０００６】
【発明が解決しようとする課題】
公知のＣＴフルオロ・システムの場合、その一般的な目的は、画像の劣化を最小限に抑えながらフレーム・レートを増大させることにある。フレーム・レートを増大させると、例えば、操作者である医師が生検針の位置に関するより多くの情報を得られることを含め、多くの利点が得られる。しかしながら、典型的には、フレーム・レートの増大は、画像の劣化を最小限に抑えることと衝突する。加えて、手順をガイドするために画像を表示するばかりでなく、オペレータに走査処理の制御を与えることが望ましい。
【０００７】
【課題を解決するための手段】
これらの目的及びその他の目的は、一実施態様において、一体型コントローラと、画像表示の速度を増大させる画像再構成アルゴリズムと、強化された画像表示とを含んでいるＣＴフルオロ・システムによって達成することができる。一体型コントローラは、放射線取扱者がフルオロ走査全体にわたってシステムの制御を保持することを可能にする。画像再構成アルゴリズムは一般的には、ＣＴフルオロ走査において画像フレーム・レートを向上させる、若しくは画像アーティファクトを減少させる、またはその両方を行うことに向けられている。画像表示は一般的には、走査手順中に、放射線取扱者に対して、強化された画像及び制御を提供する。
【０００８】
【発明の実施の形態】
図１及び図２を参照すると、コンピュータ断層撮影（ＣＴ）イメージング・システム１０が、「第３世代」ＣＴスキャナにおいて典型的なガントリ１２を含んでいるものとして示されている。ガントリ１２はＸ線源１４を有しており、Ｘ線源１４はＸ線ビーム１６をガントリ１２の対向する側に設けられている検出器配列１８に向かって投射する。検出器配列１８は複数の検出器素子２０によって形成されており、これらの検出器素子２０は患者２２を通過する投射されたＸ線を感知する。各々の検出器素子２０は、入射するＸ線ビームの強度を表す電気信号、従って患者２２を通過する間でのビームの減衰を表す電気信号を発生する。Ｘ線投影データを収集するための１回の走査の間に、ガントリ１２及びガントリ１２に装着された構成部品は、回転中心２４の周りを回転する。
【０００９】
ガントリ１２の回転及びＸ線源１４の動作は、ＣＴシステム１０の制御機構２６によって制御されている。制御機構２６は、Ｘ線制御装置２８とガントリ・モータ制御装置３０とを含んでいる。Ｘ線制御装置２８はＸ線源１４に対して電力信号及びタイミング信号を供給し、ガントリ・モータ制御装置３０はガントリ１２の回転速度及び位置を制御する。制御機構２６内に設けられているデータ収集システム（ＤＡＳ）３２が、検出器素子２０からのアナログ・データをサンプリングし、後続の処理のためにこのデータをディジタル信号に変換する。画像再構成装置３４が、サンプリングされてディジタル化されたＸ線データをＤＡＳ３２から受け取って、高速画像再構成を実行する。再構成された画像はコンピュータ３６への入力として印加され、コンピュータ３６は大容量記憶装置３８に画像を記憶させる。
【００１０】
コンピュータ３６はまた、キーボードを有しているコンソール４０を介して、オペレータから命令（コマンド）及び走査パラメータを受け取る。付設された表示装置４２によって、オペレータは、再構成された画像、及びコンピュータ３６からのその他のデータを観測することができる。オペレータが供給した命令及びパラメータは、コンピュータ３６によって用いられて、ＤＡＳ３２、Ｘ線制御装置２８及びガントリ・モータ制御装置３０に制御信号及び情報を供給する。加えて、コンピュータ３６はテーブル・モータ制御装置４４を動作させ、テーブル・モータ制御装置４４はモータ式テーブル４６を制御して、ガントリ１２内で患者２２を位置決めする。具体的には、テーブル４６は、患者２２の部分をガントリ開口４８を通して移動させる。
【００１１】
図３乃至５は、本発明のシステムを用いてフルオロ走査を実行することに関連してオペレータによって実行されるステップを示す流れ図５０である。このオペレータによって実行されるステップの記載は、本発明のＣＴフルオロ・システム及びこれにより提供される多くの利点を理解する助けとするために提示されている。本発明は、これらのようなオペレータによって実行されるステップに向けられたものではないことを理解されたい。寧ろ、本発明は、ＣＴフルオロ・システム自体に向けられている。従って、フルオロ走査手順についての以下の記載は、システムのユーザによって実行される動作を含め、ＣＴフルオロ走査手順の目的の少なくとも一般的な理解を容易にするために提示されている。
【００１２】
具体的に、ここで図３乃至５について説明する。目標の画像を局限する（ステップ５２）ために、患者を走査して（例えば、約５スライス〜１５スライス）、画像生検の目標位置を決定する。目標を局限する際には、標準走査モードを利用することができる。次いで、ガントリ上に設けられている整列補助灯（ａｌｉｇｎｍｅｎｔ  ｌｉｇｈｔ）を用いながら患者を走査平面内へ移動させることにより、患者上で目標画像の位置を決定する（ステップ５４）。アキシャル線を患者の上にマークしてもよいし、軸平面に垂直に金属板を配置してもよい。そして、目標スライスが走査される。次いで、皮膚から目標位置への生検経路を決定する（ステップ５６）。具体的には、針の経路を視覚化することができるように表示中の画像上に所望の挿入口と目標点とをカーソルでマークする。挿入口点はまた、患者の上にもマークされ、患者は処置に向けて準備が為された状態になる。
【００１３】
次いで、システム制御は、走査室内の放射線取扱者に移る（ステップ５８）。具体的には、この時点までは、システム制御は、オペレータによって制御コンソールの所に保持されていた。放射線取扱者はここで、フット・ペダル（Ｘ線のオン／オフ）と、患者テーブルに配置されているコントローラとを用いて、フルオロ走査を制御する。これらの制御を用いて、放射線取扱者は、患者テーブル、ガントリ、Ｘ線源及び画像の精査を制御する。次いで、フルオロ手順が実行される（ステップ６０）。詳しく述べると、放射線取扱者は、様々な針及びワイヤを目標位置にガイドし、組織サンプルを切除し、生検位置を洗浄及び曝気して、患者から体液を排出する。後に詳述する本発明のシステムを用いると、放射線取扱者は、リアル・タイム（実時間）画像を精査することができ、これにより、付近の構造に対する外傷を防止することが容易になるばかりでなく、難しい局限（ｌｏｃａｌｉｚａｔｉｏｎ）についての安全性を高めることができる。放射線取扱者に制御を与えると、放射線取扱者は、リアル・タイム・フルオロ連続モードでまたはタップ・モードで施術することができるようになる（ステップ６２）。具体的には、針をその目的地に合わせてガイドしている間に、必要に応じてＸ線をオン及びオフにすることができる。更に、所望の画像データが表示されるように、画像は、放射線取扱者によって操作されることが可能になる。長い生検針に起因する画像アーティファクトは、針の経路に沿った影を投げかけるので、このアーティファクトをガイドのために用いることができる。
【００１４】
一旦、この処置が完了したら、制御は、システム・コンソールの所にいる技術者に戻る（ステップ６４）。次いで、システムは、フルオロ・モードを出て通常の走査モードに切り換わる。次いで、様々な走査手法の任意の１つを用いて生検関心領域を走査し（ステップ６６）、処置が成功したか否かを決定することができる。次いで、放射線取扱者は、画像を精査して、生検が成功したことを確認する（ステップ６８）。
【００１５】
ＣＴフルオロ走査についての以上の記述から、表示のために画像を形成する際に、フレーム・レートを増大させると、放射線取扱者が生検針の位置に関するより多くの情報を得られることを含め、多くの利点が得られることが理解されよう。加えて、システムの制御を放射線取扱者に与えることにより、放射線取扱者は、患者に施されている処置をよりよく制御することができるようになり、また処置をより効率的に完了することが可能になる。
【００１６】
図６は、フルオロ走査の実行に関連してこのＣＴシステムによって実行されるステップを示す流れ図７０である。具体的には、一旦、目標が局限されたら（ステップ７２）、走査の手順が決定され（ステップ７４）、上述のようにオペレータによってフルオロ走査モードが設定されて（ステップ７６）、システムはプレップ（処置準備）モードに入り、ここで、ガントリ・プレップ・シーケンスが開始される。ガントリ・プレップ・シーケンスは、当業界で周知である。フルオロ・モードでは、「プレップ」は、コントロール装置を用いて患者テーブルの傍から介在する放射線取扱者によって制御される。プレップ・シーケンスが完了したら、システムは、走査の準備が為された状態になり、患者テーブルの所に設けられているフット・ペダルが始動される（ステップ８０）。
【００１７】
フット・ペダルは、ガントリの患者の傍の床に配置されている。Ｘ線源フィラメント・タイマが満了していないならば（ステップ８２）、放射線取扱者は、フルオロ走査を実行することができる（ステップ８４）。具体的には、一旦、プレップ・シーケンスが完了したら、フィラメント・タイマ（例えば、約９０秒）が始動する。放射線取扱者は、許された最長のＸ線オンの全時間を使い切るまでは、フルオロ手順によって必要とされる任意の長さの経過時間にわたって、９０秒のＸ線オン時間を費やすことができる。オペレータがフット・ペダルを解放したならば、解放後の約２秒〜３秒以内に走査を再び開始することができる。更に詳しく述べると、第１の完全な再構成された画像が表示される前の任意の時刻にフット・ペダルを解放すると、Ｘ線源は、エネルギ供給停止されないで、完全な１つの画像分のデータが収集されてこの画像を表示するのに十分な長さにわたってエネルギ供給され続ける。このような動作モードを「タップ・モード」と呼ぶ。完全な画像を再構成するのに十分なデータが収集された後の任意の時刻にフット・ペダルを解放すると、Ｘ線源は、フット・ペダルの解放から約３００ミリ秒以内にエネルギ供給停止される。この動作モードを一般的には「連続モード」と呼ぶ。オペレータが走査を続行しないことを選択すると（ステップ８６）、システムは、標準の走査モードに戻る（ステップ８８）。
【００１８】
Ｘ線源フィラメント・タイマが満了していたら（ステップ８２）、Ｘ線源は停止させられる（ステップ９０）。また、ガントリ／ロータ・タイマが満了していたら（ステップ９２）、ガントリ／ロータは停止して（ステップ９４）、動作はプレップ・シーケンス・モードに戻る（ステップ７８）。ガントリ／ロータ・タイマが満了していなければ（ステップ９２）、動作は直接、プレップ・シーケンス・モードに戻る（ステップ７０）。
以下の記載では、一体型コントローラ、画像再構成及び画像表示について提供される様々なオペレータ制御について詳細に述べる。一体型コントローラは、放射線取扱者がフルオロ走査時の全体にわたってシステムの制御を保持することを可能にする。画像再構成アルゴリズムは一般的にはＣＴフルオロ走査において画像フレーム・レートを向上させ、若しくは画像アーティファクトを減少させ、またはその両方を行うことに向けられている。画像表示は一般的には、走査手順中に、放射線取扱者に対して、強化された画像及び制御を提供する。
【００１９】
オペレータ制御
以下は、頻繁に実行されるオペレータ業務を容易に且つ簡便に行うために走査中にオペレータによって用いられることのできる一体型コントローラに関する詳細な記載である。より具体的には、図７は、イメージング・システム１０と共に用いることのできる手元式（ｈａｎｄｈｅｌｄ）一体型コントローラ１００の概略図である。具体的には、コントローラ１００は、テーブル４６と制御装置４４との間のインタフェイスを介してコンピュータ３６と電気的に結合され得る。代替的には、コントローラ１００は、コンピュータ３６に直接接続されていてもよい。いずれにせよ、コントローラ１００に入力されたコマンドは、コンピュータ３６に送信されて、次いで、コンピュータ３６は、コマンドが実行されるようにする。
【００２０】
コントローラ１００は、手で持てるように（手元式に）構成されており、押しボタンとそれぞれの電気的接点パッドとの間の電気的な接点を確立する、即ち接続を行う構造は、当業界で周知であり、また選択されたコマンド情報をコンピュータ３６に送信する構造も同様に周知である。具体的には、後述する特定のコマンドに対応している選択された押しボタンを押すことにより、電気パルスまたは電気信号が、コントローラ１００からコンピュータ３６へ供給される。コンピュータ３６は、この信号を受け取って、特定のコマンドを実行するようにこの信号を処理する。
【００２１】
一般的に述べると、コントローラ１００を介して実行可能なコマンドは、走査及び移動制御、並びに画像操作制御として記述され得る。走査及び移動制御は、走査パラメータを選択し、また患者テーブルの動きを制御するために利用される。画像操作制御は、オペレータが、表示のための様々な画像及びパラメータを選択することを可能にする。
【００２２】
ここで、図７について詳細に説明する。コントローラ１００上の様々なコマンド・ボタンの位置は変更可能であり、本発明は、コマンド・ボタンのいかなる特定の構成にも限定されていない。但し、制御ボタンを図示の構成として配置することにより、オペレータは、正しいコマンド・ボタンの位置を容易に且つ迅速に見出して、所望のコマンドを実行させることができるものと考えられる。
【００２３】
走査及び移動制御に関して述べると、「プレップ（ｐｒｅｐ）」用のコマンド・ボタン１０８と、「整列補助灯」用のコマンド・ボタン１１０とが設けられている。プレップ・コマンドは、瞬間押し式または１回押し式の押しボタンであり、ＬＥＤ１１２インジケータが設けられていて、以下のように作用する。具体的には、プロトコルがロードされ、システム制御がフルオロ・モードに切り換わると、プレップ・ボタン１０８は、「バック・ライト」点灯し、ボタン１０８を押してプレップ・シーケンスを開始するようにユーザに促すプロンプトとして０．５秒のサイクルでフラッシュ点滅する。プレップ・ボタン１０８が押されると、ガントリ・プレップ・シーケンスが開始される。ＬＥＤ１１２に関して述べると、ＬＥＤ１１２が消えているときには、システムは停止しているか又は始動準備が為されていない（ｕｎａｒｍ）かであるので、ユーザはプレップ・ボタン１０８を押さなければならない。プレップ・ボタン１０８が押されたら、ＬＥＤ１１２は０．５Ｈｚで点滅して、ウォーム・アップ・シーケンスまたは始動準備（ａｒｍｉｎｇ）シーケンスが開始されたことを示す。ＬＥＤ１１２は、ウォーム・アップ・シーケンスまたは始動準備シーケンスが完了するまで点滅し続ける。ＬＥＤ１１２は、ウォーム・アップ・シーケンスまたは始動準備シーケンスの最中には黄色で光ってもよい。完全に処置準備ができたら、ＬＥＤ１１２は連続的に点灯したままになり、システムの準備ができたことを示すために緑色で光ってもよい。システムが中断して、システム・プレップが停止したら、ＬＥＤ１１２はエネルギ供給停止される。
【００２４】
整列補助灯コマンド・ボタン１１０は、瞬間押し式または１回押し式の押しボタンである。ガントリが回転し、Ｘ線源がオンになっている間に整列補助灯コマンド・ボタン１１０が押されると、整列補助灯がエネルギ供給される。整列補助灯コマンド・ボタン１１０が再び押されると、整列補助灯はエネルギ供給停止される。
【００２５】
整列補助灯に関して述べると、一実施態様では、線を形成する（ファン・ビーム型の）３つのレーザ・モジュールがガントリに固定されており、ガントリが回転または走査している間にレーザ光が患者上に走査平面の位置を指示する。レーザ・モジュールは、ガントリの回転構造の周りに隔設されており、走査平面と整列している。ガントリは、ボア内周を巡る３６０°に透明な窓を有しており、整列補助レーザがオンになっている状態でガントリが回転すると、レーザ光はすべての位置で透明な窓を透過する。これにより、１つのみ又は２つのレーザを用いる場合に生ずるストロボ効果が除去される。放射線取扱者は、患者及び針ホルダ上に１つの連続した（空間的且つ時間的な）線を見ることになる。この線は、走査平面の基準として有用である。
【００２６】
走査及び移動制御はまた、「テーブル送入（ｍｏｖｅ  ｔａｂｌｅ  ｉｎ）」用のコマンド・ボタン１１４と、「テーブル送出（ｍｏｖｅ  ｔａｂｌｅ  ｏｕｔ）」用のコマンド・ボタン１１６と、「段階送入（ｂｕｍｐ  ｉｎ）」用のコマンド・ボタン１１８と、「段階送出（ｂｕｍｐ  ｏｕｔ）」用のコマンド・ボタン１２０とを含んでいる。走査用移動（ｍｏｖｅ  ｔｏ  ｓｃａｎ）１２２、及び走査用移動を示す関連するＬＥＤ１２４もまた、設けられている。走査及び移動制御はまた、自動移動（ａｕｔｏ  ｍｏｖｅ）コマンド・ボタン１２６及びＬＥＤ１２８、並びに架台自由移動（ｃｒａｄｌｅ  ｆｌｏａｔ）コマンド・ボタン１３０を含んでいる。
【００２７】
テーブル送入コマンド・ボタン１１４は、デッドマン制御式（押し続けている間のみ作動する方式のボタン）であり、ボタン１１４を押すと、一定の速度、例えば約５０ｍｍ／秒で、ガントリの背面に向かってテーブルを移動させる。テーブル送出コマンド・ボタン１１６もまた、デッドマン制御式であり、一定の速度、例えば約５０ｍｍ／秒で、ガントリの前面に向かってテーブルを移動させる。テーブル送入コマンド・ボタン１１４も、テーブル送出コマンド・ボタン１１６も、解放されると（即ち、もはや押されていないときには）、テーブルの移動は停止する。
【００２８】
段階送入コマンド・ボタン１１８及び段階送出コマンド・ボタン１２０は、瞬間押し式または１回押し式の押しボタンである。ボタン１１８及び１２０の一方を押すと、それぞれ送入方向へ又は送出方向へ、一定の速度でプリセットされた距離または所定の距離だけ、例えば５ｍｍ／秒の速度で５ｍｍまたは１０ｍｍだけ、患者を移動させる。
【００２９】
走査用移動コマンド・ボタン１２２（走査用前進ボタンとも呼ぶ）は、押し続け式またはデッドマン式のボタンである。コマンド・ボタン１２２を押すと、一定の速度、例えば約５０ｍｍ／秒で、所定の又は指示された走査平面の位置まで患者の解剖学的構造を移動させる。明確に述べると、第１回の収集の後のフルオロ手順中にコマンド・ボタン１２２が押されると、患者テーブルは、最後に収集された画像／走査の位置まで移動する。テーブルは、コマンドを実行する結果として、前方にも後方にも移動する可能性がある。一旦、テーブルが最後に収集された画像／走査の位置にまで移動したら、更なる走査を実行することができる。ＬＥＤ１２４は、走査用移動コマンドを実行することができるようになったときに、即ち患者テーブルが最後に収集された画像／走査の位置から移動しているときに、０．５Ｈｚで点滅する。一旦、走査用移動ボタンが押されると、ＬＥＤ１２４は、テーブルが最後に収集された画像／走査の位置に到達するまで点灯したままになり、ＬＥＤが消えると、テーブルがこの時点で走査のための位置に就いたことを示す。
【００３０】
自動移動コマンド・ボタン１２６及びＬＥＤ１２８は、放射線取扱者が走査平面に対して斜めの角度で針を挿入するときに患者テーブルを定常的に移動させたい場合に利用される。針の挿入の動きとテーブルの動きとを同期させることにより、針の先端が、走査平面内に維持される。より明確に述べると、Ｘ線源がオンになっているときに、オペレータは、自動移動ボタン１２６を押す。そして、Ｘ線／収集スイッチを作動させ続けながら、放射線取扱者は、テーブル送入コマンド・ボタン１１４またはテーブル送出コマンド・ボタン１１６のいずれかを押して、それぞれの方向での一定の速度（例えば、３ｍｍ／秒〜５ｍｍ／秒）でのテーブルの移動を開始する。テーブルの移動を、所定の距離、例えば、２００ｍｍに制限して、所望の距離を越えたテーブルの移動を防止することもできる。自動移動を停止させるためには、オペレータが自動移動ボタン１２６を押し、或いは、Ｘ線スイッチが停止されたとき、自動移動が不可（ｄｉｓａｂｌｅ）になる。自動移動に戻るには、オペレータは、もう一度ボタン１２６を押さなければならない。自動移動モードにあるときにはＬＥＤ１２８はオンになっており、システムが自動移動モードにないときにはＬＥＤ１２８はオフになっている。
【００３１】
架台自由移動コマンド・ボタン１３０は、瞬間押し式または１回押し式の押しボタンである。ボタン１３０が押されると、患者テーブルはラッチを解除されて、自由に浮動（フロート）する。すると、オペレータは、所望の位置までテーブルを容易に移動させることができる。テーブルから延びているハンドルを設けて、患者に干渉せずにテーブルを容易に移動させることもできる。ボタン１３０が再び押されると、テーブルは選択された位置にラッチ留めされる。
【００３２】
画像操作制御に関して述べると、「ページ戻る／進む（ｐａｇｅ  ｒｅｖｅｒｓｅ／ｆｏｒｗａｒｄ）」コマンド・ボタン１３２、「保存（ｓａｖｅ）」（または捕捉（ｃａｐｔｕｒｅ  ））コマンド・ボタン１３４、「格子（ｇｒｉｄ）」コマンド・ボタン１３６及び「プリセット・ウィンドウ／レベル（ｐｒｅｓｅｔ  ｗｉｎｄｏｗ／ｌｅｖｅｌｓ）」コマンド・ボタン１３８が設けられている。オペレータがコントローラ１００を用いてこれらの作用を実行し得るようにすることにより、システムは、より使い易くなるものと考えられ、また、わかりやすい形式でオペレータに対して有用な情報を表示することができる。
【００３３】
具体的には、戻る／進むボタン１３２は、デッドマン制御式（押し続け式ボタン）と瞬間押し式または１回押し式の押しボタンによる二重動作性制御になっている。明確に述べると、ボタン１３２が瞬間的動作として押されてから解放されると、ボタンの一押しについて１つの画像を進める又は戻すコマンドが表示装置に送信される。ボタン１３２が２秒を越えて押され続けると、進む方向または戻る方向に（押されるボタンによる）、リアル・タイムで画像を表示する、例えば、１秒当たり６つの画像を表示するコマンドが表示装置に送信される。このような動作を可能にするために、画像は、メモリ・バッファに記憶されている（例えば、最新の１２０の画像がバッファに記憶されている）。ボタン１３２が解放されると、再生動作は停止する。
【００３４】
保存ボタン１３４は、瞬間押し式または１回押し式の押しボタンであり、保存ボタン１３４を押すことにより、その時点でスクリーン上に表示されている画像が表示メモリ・バッファまたはデータベースに捕捉または保存されるように、表示装置にコマンドが送信される。捕捉された画像は、表示、分析、フィルム撮影、アーカイブ化（記録保管）及びネットワーク化のために呼び出すことができる。
【００３５】
格子ボタン１３６は、瞬間押し式または１回押し式の押しボタンである。格子表示ボタン１３６が押されると、平方センチメートル単位でスケーリングされた格子パターンが画像上に重ね表示（スーパーインポーズ）されるように、表示装置にコマンドが送信される。連続してボタンを押すと、格子の表示が作動したり消去したりする。
【００３６】
プリセット・ウィンドウ／レベル・ボタン１３８は、瞬間押し式または１回押し式の押しボタンである。プリセット・ウィンドウ／レベル・ボタン１３８が押されるごとに、所定のウィンドウ／レベル設定を１つずつ前進させるように、表示装置にコマンドが送信される。代替的には、１回ボタンを押すと、ウィンドウ／レベル設定が、オペレータによって選択されている事前プログラムされた又は定義された設定に従って変化し得るようにすることも考えられる。定義される設定を最大５つまでに制限することにより、混乱が避けられるものと考えられる。設定名及び／又は設定値は、画像と共に表示スクリーン上に表示され、このコマンドにより、表示装置は、ボタンが押されるごとに１つずつ設定を前進させながら、連続したループ内でウィンドウ／レベル・パラメータを順次通過する。この順次通過は典型的には、決められた一方向にのみ起こる。
【００３７】
以上に述べた作用に加えて、コントローラ１００はまた、表示装置上で距離を測定するためのトラック・ボールと、Ｘ線走査開始制御と、３次元画像表示装置のビュー角度をリアル・タイムで制御するためのビュー角度制御と、３次元画像を所定の速度で前後に揺動させる「揺動（ｒｏｃｋ）」制御と、ガントリ・ティルト角度を制御するガントリ・ティルト制御と、患者テーブルの高さを調節するテーブル高さ制御とを含んでいてもよい。例えば、ガントリ・ティルト用の制御ボタンはコントローラ１００上には図示されていないが、前述したものに加えて、コントローラ１００上にガントリ・ティルト制御ボタンを含めてもよいと考えられる。オペレータがコントローラ１００の所でガントリ・ティルトを制御し得るようにすると、フルオロ手順を制御する能力が強化され、オペレータが、針の先端をビュー内に含めて、針の先端を追跡することが可能になる。ガントリ・ティルト機構は、公知であり、典型的には、ガントリに電気的に接続されたステッパ・モータを含んでいる。このようなティルト制御は、フルオロ走査が進行している間に実行可能にすることができる。
【００３８】
言うまでもなく、以上に述べた制御のすべてをコントローラに組み入れる必要はなく、これらの制御またはコマンドのうちの任意のもの又は任意の組み合わせを（他のコマンドと共に）このようなコントローラによって実行可能にすることができる。オペレータが上述のような一体型コントローラによってコマンド実行を開始し得るようにすることにより、ＣＴフルオロ手順が、公知のシステムを用いた場合よりも効率的に且つ迅速に実行され得ると考えられる。このコントローラはまた、非常に使い易いものと思われるので、従って、オペレータがその利点を活用するようになる見込みが高くなる。
【００３９】
画像再構成
前述のように、画質を大幅に損なわないようにしてフレーム・レートを増大させると、オペレータに対してＣＴフルオロ走査時の情報がより多く与えられる。以下に記載するのは、この目的を達成するのに利用することのできる様々なアルゴリズムである。これらのアルゴリズムは、どのような結果を望むかに応じて、単独で、または任意の組み合わせでシステム内で用いることができる。
【００４０】
Ａ．動的コリメーション
公知のシステムでは、ＣＴフルオロ手順中にスライス厚さは変化しない。例えば、手順中一貫して１０ｍｍのスライス厚さが用いられる。コリメータのスライス厚さは典型的には、分解能と空間網羅範囲との間の兼ね合いで決まる。しかしながら、コリメーションが過度に薄ければ、極く小さな空間しかカバーされないので、針が走査スライスよりも外側に移動する確率が高くなる。また、スライス厚さが過度に大きければ、ｚ軸分解能が極めて低くなるので、誤配置が起こるおそれがある。例えば、対象物体が直径５ｍｍである場合、生検針を物体の内部に確実に配置するには１０ｍｍのスライス厚さでは十分ではない。
【００４１】
本発明の一側面によれば、プリ−ペイシェント（ｐｒｅ−ｐａｔｉｅｎｔ）コリメータは最初、厚いコリメーション（例えば、１０ｍｍ）を有するように選択される。針が目標物体の近傍に配置された後に、コリメータは、より薄いスライス（例えば、５ｍｍ）に動的に変更される。
より具体的に、一実施例について述べると、コントローラ（例えば、図７に示したコントローラ１００）は、コリメータ開口を変更するための制御ボタンを含むことができる。コリメータ開口を変更するのに要求される装置は、当業界で公知である。コリメータ開口の変更は、Ｘ線オフ時間中に行われる。例えば、開口サイズを増大させる及び減少させるために、コントローラ上にコリメータ用の「大きく（up）」及び「小さく（down）」ボタンを設けることができる。
【００４２】
上述の動的コリメーションを用いると、領域のより詳細な検査が可能になる。針は目標の近傍に配置されるので、走査空間よりも外側に針が位置する確率は低くなる。
以上に述べた動的コリメーションは、シングル・スライス式検出器でもマルチスライス式検出器でも実行可能である。マルチスライス・スキャナの場合には、例えば、マルチスライス検出器は最初、４つの５ｍｍスライスを形成するように構成される。針が配置された後には、検出器を、４つの２．５ｍｍスライスを形成するように動的に構成することができる。
【００４３】
Ｂ．高速画像更新
公知のシステム・アーキテクチャ（設計）は、再構成速度を１秒当たり６フレームまたはそれ以下に制限している。フレーム・レートを増大させるためには、ハードウェア及び／又はソフトウェアに対する大幅な変更が必要であるものと考えられている。具体的には、逆投影装置には６つの２５６×２５６のメモリしか利用可能でない。再構成速度を更に向上させるためには、２つの追加の画像メモリが必要であり、この場合にはソフトウェアの変更が要求され、それよりも多いメモリはハードウェアの改変によって追加することができる。
【００４４】
しかしながら、ハードウェアまたはソフトウェアの改変を行うのではなく、再構成された画像と画像との間の間隙を埋めるように画像の補間／補外を実行することができる。画像の補外は、過去に収集されたいくつかの画像に基づいて画像ＰN を推定するのに利用することができる。例えば、Ｎ番目の画像を以下の式に従って決定することができる。
【００４５】
【数１】
0004236315.tif 000002
【００４６】
ここで、αi は補外の係数である。上述の補外を用いると、表示プロセッサの能力に応じて、フレーム・レートを容易に２倍、３倍または４倍にすることができる。上述のような線形補外ではなく、補外は、非線形（高次）であっても、再帰的であっても、または非再帰的であってもよい。
Ｃ．ビューの圧縮及び拡張
処理されるべきデータの量を減少させるために、選択的ビュー圧縮アルゴリズムを利用することができる。言うまでもなく、処理されるべきデータの量を減少させると、フルオロ走査中に画像を形成するのに要求される時間量が減少するという利点が得られる。例えば、公知のＣＴシステムの１つは、エイリアシング・アーティファクトを回避した画像形成を行うために９８４のビューを用いる。断層像再構成に掛かる時間は、用いられるビューの数に正比例するので、画像形成に用いられるビューの数を減少させることにより、再構成を高速化することができる。画質は、許容可能な水準に保たれていなければならないことは言うまでもない。
【００４７】
より具体的に、一実施態様について述べると、目的は、可能な限り短時間で多数の画像を形成することにある。この目的を達成するために、画像は、２５６×２５６のマトリクス内で標準的なアルゴリズムによるだけで再構成され（即ち、特殊な処理は行われない）、特に、画像を表示する主たる目的が生検針の挿入をガイドすることにあるので、僅かな画質の劣化は許容可能である。
【００４８】
一般的には、ビュー圧縮の場合、新たなデータ・セットのビュー角度増分は好ましくは、一定に維持されている。即ち、圧縮されたビューとビューとの間の角度は、データ・セット全体にわたって同一となる。ビュー角度増分を一定に維持することにより、再構成処理は、より単純になり、また、ビューのエイリアシングが平均ではなくビューとビューとの間の最大の角度間隔によって決定されることから、エイリアシング・アーティファクトを減少させるのに最適なものになると考えられる。従って、圧縮アルゴリズムは好ましくは、ビュー角度増分を一定に維持する。
【００４９】
以下のアルゴリズムは、上述の特性、即ち、ビュー角度増分を一定に維持するという特性を満足させるものである。より明確に、一実施態様について述べると、圧縮されたデータ内の各々の偶数ビューは、元のデータ・セット内の修正されていない投影データを含んでおり、圧縮されたデータ・セット内の各々の奇数ビューは、元のデータ・セット内の２つのビューの平均から成っている。新たな投影データ・セットは、以下の式に従って形成される。
【００５０】
0004236315.tif 000003
言うまでもなく、圧縮処理において他のカーネルを用いることもできる。上述した単純平均は、説明を容易にするためのものに過ぎない。加えて、式の偶数ビューまたは奇数ビューは交換可能であり、即ち、奇数ビューが修正されておらず、且つ偶数ビューが平均されたものであってもよい。
【００５１】
元のデータ・セットにおける角度増分をΔθと表すと、新たなデータ・セットにおける角度増分は３Δθ／２となる。従って、上述のアルゴリズムを用いると、再構成に用いられるビューの数は、元のビューの数の僅か３分の２となる。例えば、元のデータが２πの回転について９８４のビューを含んでいるならば、新たなデータ・セットは、２πの回転当たり６５６のビューを有していることとなり、３３．３％の減少に相当する。
【００５２】
以下の議論は、ビューを拡張することによりエイリアシング・アーティファクトを減少させることに関する。具体的には、再構成処理で用いられるビューの数を減少させると、再構成される画像にビュー・エイリアシング・アーティファクトが生ずる。このエイリアシング・アーティファクトを減少させるために、本発明のアルゴリズムを利用して付加的なビュー・データを形成すれば、この付加的なビュー・データを逆投影処理で利用してエイリアシング・アーティファクトを減少させることができる。
【００５３】
より具体的には、本発明の再構成アルゴリズムは、逆投影ステップにおいてのみ、標準的なフィルタ補正逆投影アルゴリズムと異なっている。この差が図８にグラフで示されており、同図では、実線は、投影データの１つのセットが物理的に収集されるガントリ角度βのセットを表している。以下の議論の目的のために、ｐβ （γ）は、フィルタリング後の投影データ・セットを表すものとする。標準的なフィルタ補正逆投影アルゴリズムは、ガントリ角度βからのｐβ （γ）を逆投影する。
【００５４】
本発明の再構成アルゴリズムによれば、図８の破線で示されているような第１のセットのガントリ角度βを二分する第２のセットのガントリ角度について、第２のセットのフィルタリングされた投影データが形成される。第１のセットのデータｐβ β（γ）から第２のセットのフィルタリングされた投影データを算出するためには、例えば、単純線形補間を用いることができる。
【００５５】
次いで、対応するガントリ角度における両セットのデータとも、即ち実際のデータも形成されたデータも、逆投影され、これらのデータを用いて画像が再構成される。逆投影は、例えば、画像形成（ＩＧ）ボード上でパイプ・ライン方式で実現されて、再構成速度を増大させることができる。言うまでもなく、より高次の補間を行うためにより多くのビューを用いることもできる。また、ビューとビューとの間に２つよりも多いビューを形成することもできる。
【００５６】
以上に述べたアルゴリズムは、画像の方位角方向の分解能を劣化させる。しかしながら、方位角方向の分解能を限定するその他の因子、例えば、検出器の１次速度等を考慮すると、この付加的な劣化は目立たないものであるか又は許容可能なものであろう。
Ｄ．フィルタ・カーネル・ブーストを伴うチャンネル圧縮
計算の高速化のために、各々の投影チャンネルを２つの検出器チャンネルまたは検出器セルによって形成することができる。具体的には、これらのセルは、１つの出力、即ち１つの投影チャンネルを形成するように連結（ｇａｎｇ）され、例えば二重連結される。以下に述べる実施例では、セルは二重連結されているものと仮定されている。しかしながら、より高い圧縮比を用いることもできる。連結は、以下の式で記述される。
【００５７】
ξk ′＝ξ2k＋ξ2k+1                                        （３）
チャンネル連結は、例えば、空気較正（Ａｉｒ−ｃａｌ）補正の直後に行うことができる。当業界で公知のように、Ａｉｒ−ｃａｌ補正は、正規化、チャンネル拡張、Ｑｃａｌ（即ち、画像較正）、シータ・フィクス及びクロス・トークの各補正を含んでいる。代替的には、チャンネル連結を検出器１次速度／残光補正の直後に実行して、速度についての最大の利益を得ることもできる。上述の処理は好ましくは、Ａｉｒ−ｃａｌ補正の前（即ち、正規化、チャンネル拡張、Ｑｃａｌ、シータ・フィクス及びクロス・トークの各補正の前）に実行される。
【００５８】
チャンネル連結により、Ａｉｒ−ｃａｌ補正の後に適用される較正ベクトルの多くは、各々の新たなチャンネルが今や以前のチャンネルの２つを表しているという事実を反映するように修正される必要がある。影響を受けるベクトルは、例えばビーム・ハードニング・ベクトルである。３つのビーム・ハードニング・ベクトルＢ1 、Ｂ2 及びＢ3 については、以下の関係式を用いて新たなベクトルを形成する。
【００５９】
Ｂ′1k＝０．５（Ｂ12k ＋Ｂ12k+1 ）
Ｂ′2k＝０．５（Ｂ22k ＋Ｂ22k+1 ）
Ｂ′3k＝０．５（Ｂ32k ＋Ｂ32k+1 ）                          （４）
これらのベクトルは、「レコン・ループ（ｒｅｃｏｎ−ｌｏｏｐ）」の前に形成されるので、ベクトル形成処理に対する修正が速度の面で再構成のパフォーマンスに影響を与えるようなことがあってはならない。
【００６０】
二重チャンネル連結が画質に及ぼす１つの直接的な影響は、空間分解能の低下である。例えば、ＣＴフルオロ・システムが分解する（見分ける）必要のある最小の物体は、５ｍｍである。この分解能の低下を少なくとも部分的に補償するために、再構成フィルタ・カーネル・ブーストを利用することができる。具体的には、（周波数領域での）再構成フィルタに、中周波数域及び高周波数域により大きな大きさを有している窓関数、例えば、以下の窓関数のようなものを乗算する。
【００６１】
ｗ＝１＋α1 ｆ＋α2 ｆ2 ＋α3 ｆ3 ＋α4 ｆ4                 （５）
ここで、α1 乃至α4 は、パラメータである。特定的な一実施例では、α1 ＝０．０、α2 ＝０．６、α3 ＝０．２及びα4 ＝０．０というパラメータ・セットが利用される。
上述のフィルタ・カーネル・ブーストはまた、他の因子が原因でシステムの分解能を向上させる必要が出てきたようなその他の場合にも適用することができる。例えば、再構成カーネル・ブーストを利用して、周波数領域の補間処理を省くことに起因する分解能の劣化を補償することができる。具体的には、フーリエ変換後の投影データが、フィルタ・カーネルを乗算される前に複製される。この処理は、周波数空間における補間を実行することと同等である。なぜなら、この処理を受けた後のフィルタリングされた投影は、サンプリング点の数が２倍になっているからである。補間は周波数空間で実行されるので、投影の周波数成分を保存する。しかしながら、この処理は、フーリエ変換のサイズを２倍に増大させるので、計算経費が高い。再構成速度を考慮するならば、空間領域での補間を行う方が望ましいであろう。例えば、４点ラグランジュ補間装置を用いることができる。但し、システムの分解能は僅かに劣化する。この劣化は、フィルタ・カーネルに窓関数（式（３））を予め乗算しておくことにより補償することができる。標準的な再構成カーネル及びソフト再構成カーネルについては、α1 ＝０．０、α2 ＝０．１、α3 ＝０．３及びα4 ＝０．０というパラメータ・セットを利用することができる。
【００６２】
Ｅ．フィルタリング
患者のモーション・アーティファクトを減少させるために、以下に述べる重み付け方式を利用して、各々のビューに対して実行されるフィルタリングの量を最小化することができる。具体的には、ＣＴ透視検査法の用途では、実現例として、ガントリを１秒当たり１回転で患者の周りを回転させながら、１秒当たり６フレームの速度で画像が形成される。従って、大きな重なりのある再構成が実行される。換言すれば、各々の投影が、多数の画像の形成に利用される。フィルタリング・ステップは、再構成の中で最も時間の掛かる部分であるので、各々の再構成される画像について各々の投影を繰り返しフィルタリングするようなことは避けた方が望ましい。
【００６３】
従って、オーバースキャン重み付けアルゴリズムを利用することができる。オーバースキャン重み付けは、チャンネルの方向に沿って一定であるので、フィルタリング演算び重み付け演算を反転させることができ、１投影当たり１回のフィルタリングしか必要でない。次いで、逆投影の前に、各々のフィルタリングされた投影に異なる重みを乗算することができる。オーバースキャン重み付けアルゴリズムは、以下の式に従って実行される。
【００６４】
ｗ（γ，β）＝３θ2 （γ，β）−２θ3 （γ，β）            （６）
ここで、
０≦β＜β0 のとき、
θ（γ，β）＝β／β0
β0 ≦β＜２πのとき、
θ（γ，β）＝１
２π≦β＜２π＋β0 のとき、
θ（γ，β）＝（２π＋β0 −β）／β0
であり、ここで、β0 は、オーバースキャン角度を設定するパラメータである。パラメータβ0 は、画質と再構成速度との間の最良の兼ね合いに基づいて決定される。
【００６５】
上述の重み付けは、走査の開始時及び終了時からの寄与を強調しないようにする。各々のビューについて、先ず、断層像再構成フィルタが適用され、引き続いて、ビューに対して少なくとも２つの異なる重みを乗算し、次いで、重み付けされたビューを少なくとも２つの異なる画像位置に逆投影する。次いで、各々の画像メモリの内容は、所定の数のビューが蓄積された後に、転送され初期化される。
【００６６】
加えて、多重のフィルタリングを実行する多重プロセッサによるハーフスキャン重み付けも利用することができる。具体的には、所与の画像フレーム・レートにおいて各々の投影が最大Ｎ個の画像に寄与するものと仮定する。例えば、３フレーム／回転の場合についてはＮ＝２とし、５フレーム／回転の場合についてはＮ＝４とする。多数の画像の再構成を同時に行うためには、図９に示すデータ処理アーキテクチャを用いることができる。時間分解能を最高にするためには、セグメント化再構成が利用される。また、３フレーム／回転の場合には、２つの枝しか必要でない。この設計のボトルネック（隘路）は、フィルタリング・ステップであるが、フーリエ領域補間を省き、チャンネル圧縮を２：１にすることにより高速化することができる。
【００６７】
第２の画像形成ボードを加えることにより、より高速のフレーム・レートを達成することができる。また、データ処理を更に高速化するために、いくつかの前処理ステップ及び後処理ステップをバイパスすることができる。
Ｆ．逆投影
ＣＴフルオロ・モードでは、６つの異なる画像が任意の時刻に再構成を受けており、これらの画像に必要とされる多数の重み付けされた投影が逆投影装置メモリに一度にロードされている。選択されたオーバースキャン角度に基づいて、重み付けされた投影の数を減少させて、逆投影装置メモリへのデータ転送を高速化することができる。より具体的に、例示的なシステムについて述べると、オーバースキャン回転の６分の１回転ごとに、１つの位置における完全な画像が形成される。従って、逆投影装置メモリは、６つの副領域に分割されている。各々の瞬間に、フィルタリングされた投影が、異なるオーバースキャン重み付けで重み付けされ、６つの副領域のすべてに逆投影される。特定的な一実施態様では、例えば、完全な１つの画像を形成するのに６９６のビューが要求される。従って、６９６番目の投影が逆投影された後に、第１の完全な画像が副領域番号１から取得される。１１６ビューの後、第２の完全な画像が副領域番号２から取得される。この過程は、６番目の画像が完了した後にも繰り返される。
【００６８】
この例示的なシステムでは、再構成ボードは８つの並行したパイプに分割されており、オーバースキャンの１回転当たり６つの画像が形成されるので、各々の画像形成に用いられるビューの数は、４８（即ち、８の６倍）で割り切れる必要がある。上述の選択は、４８では割り切れない（即ち、６９６は４８で割り切れない）。言うまでもなく、オーバースキャン角度を大幅に増大させる（例えば、６９６よりも大きく４８で割り切れる最小の数は７２０であり、これは、３５．１°のオーバースキャン角度に対応している）ことは望ましくない。なぜなら、遅れ（ｌａｇ）が大幅に増大するからである。また、オーバースキャン角度を大幅に減少させる（例えば、６９６よりも小さく４８で割り切れる最大の数は６７２であり、これは、８．８°のオーバースキャン角度に対応している）ことも望ましくない。なぜなら、患者のモーション・アーティファクトが著しく増大するからである。
【００６９】
このために、また、逆投影の速度を増大させるためにも、各々の画像を１１６ビューの倍数の所で開始するのではなく、第２の画像はビュー１２０で開始される。第３の画像は第２の画像の１１２ビュー後に開始する。第４の画像は再び１２０ビュー後に開始する。第５の画像は更に１１２ビューだけ遅延される。この過程は継続する。
【００７０】
より一般的に述べると、完全な１つの画像を形成するのに要求されるビューの数をＮと表す。また、並行処理パイプの数をＸと表し、Ｎビュー回転につき形成される画像の数をＹと表す。ＮがＹで割り切れ且つ（ＸＹ）で割り切れないときには、連続した画像についての開始ビュー番号を、交互に、直前の画像の開始ビューの（Ｎ／Ｙ）＋Ｘ／２ビュー後、及び（Ｎ／Ｙ）−Ｘ／２ビュー後とすることができる。この順序は交換可能である。
【００７１】
上述の逆投影アルゴリズムは、システム遅延及び画像アーティファクトについての重大な不利益を回避するものとなっている。言うまでもなく、画像と画像との間には、数ミリ秒だけ変化する極く僅かな非一様な時間間隔が存在している。更に、逆投影装置が十分な速度を有しているならば、各々の投影は、ある回数、例えば６回、逆投影されることもできる。次いで、この逆投影されたビューは、スケーリングされて、異なる画像メモリに追加される。
【００７２】
加えて、逆投影が再構成処理のボトルネックとなっているような条件の下では、単純化された逆投影手法を用いることができる。より具体的には、基本的な画像逆投影操作は次の通りである。即ち、各々のフィルタリングされた投影が、再構成格子ピクセルの全体にわたるループを介して画像上に逆投影される。患者の座標系（ｘ，ｙ）及びカレント・ビューに関連した回転した座標系（ｘ′，ｙ′）を考えると（図１０）、逆投影は、妥当な投影データの補間を実行するために、ファン角度η（ビュー及びピクセルに依存）の計算に頼る。また、逆投影は、（１／Ｌ）2 の計算も要求する。ここで、Ｌ＝Ｌ（β，ｘ，ｙ）は、ピクセル（画素）からファン頂点までの距離（ビュー及びピクセルに依存）である。β0 及び（ｘ0 ，ｙ0 ）の周りでη及び（１／Ｌ）2 を線形化することにより、以下の式が得られる。
【００７３】
η（β0 ＋ｄβ）≒η（β0 ）＋Ａ×ｄβ                      （７）
【００７４】
【数２】
0004236315.tif 000004
【００７５】
ビュー間のみでの線形化の応用では、量η及び（１／Ｌ）2 の完全な計算はＭ個のビューごとに行われる。ここで、Ｍはパラメータである。その他のビューの各々については、これらの量は、線形補間を用いて推定される。実際上は、完全に処理されるべき次のビューの事前算出に頼ることにより、線形近似を算出するとより簡単である。ビュー間及びビュー内の線形化においては、上述と同じ方法を用いることができるが、但し、以前に完全に処理されたビューについては、η及び（１／Ｌ）2 についての計算は、Ｐ個のピクセルごとに１回しか発生せず、間の値は線形補間される点が異なる。
【００７６】
逆投影方程式は、
【００７７】
【数３】
0004236315.tif 000005
【００７８】
これらの関係式は、ファン角度、及びファン頂点からピクセルへの距離の逆二乗を決定する基本的な関係式として有用である。これらの関係式を単純化すると、計算上の大幅な節減になる。具体的には、ビュー間線形化の方法において、以下の関係式を適用することができる。
【００７９】
【数４】
0004236315.tif 000006
【００８０】
及び
【００８１】
【数５】
0004236315.tif 000007
【００８２】
パラメータＡ及びＤは、式（１１）及び式（１３）を用いて決定しなければならないわけではない。その代わりに、Ａ及びＤは、ビューＮ及びビューＮ＋Ｍの「見込み（ｌｏｏｋ−ａｈｅａｄ）  」的な完全な計算から推定することができる。間隔  ］Ｎ，Ｎ＋Ｍ［  のビューについては、式（９）の計算はスキップ（飛び越し）されて、ビューＮ及びビューＮ＋ＭからＡ及びＤを推定することに基づく線形近似によって置き換えられる。
【００８３】
Ｇ．並行処理
再構成処理を更に高速化するために、多くの処理を異なるプロセッサで並行して実行することが企図される。例えば、前処理、フィルタリング、逆投影及び後処理をそれぞれ異なるプロセッサで実行することができる。このような構成によれば、１つのプロセッサがビューｉを処理している間に、別のプロセッサがビューｉ＋１を処理することができる。更に、逆投影装置が画像番号ｉを処理している間に、後処理ユニットが画像番号ｉ−１を処理することができる。
【００８４】
画像表示
以下に記載するのは、強化されたイメージングを行うためにＣＴフルオロ・システム内で実現することのできる画像表示用装置及びアルゴリズムである。これらの装置及びアルゴリズムは、どのような結果を望むかに応じて、単独で、または任意の組み合わせでシステム内で用いることができる。
【００８５】
Ａ．部分画像表示
上述のように、ＣＴフルオロ・システムのための重要な１つの性能パラメータは、第１の画像までの時間である。第１の画像をより迅速に形成することにより、オペレータに、より多くの情報が与えられ、また、オペレータは、時宜に適ったフィードバックを与えられるのでよりよい制御感覚を有するようになる。従って、第１の画像までの時間を短縮するために、部分的に再構成された画像を表示することができる。例えば、完全なビュー及び完全なオーバースキャン重み付けの６分の１乃至６分の５を用いて１つのセットの画像を形成することができる。ビューは、概略で１秒当たり６フレームの速度で表示され得る。１つの特定的なシステムでは、部分的に再構成された画像は、第１の画像形成メモリ・バッファ内に１２０、２３２、３５２、４６４及び５８４のビューが蓄積された段階で表示され得る。オーバースキャン・アルゴリズムは、例えば、１９９７年１１月２６日出願の米国特許出願第０８／９７８８０２号、「コンピュータ断層撮影透視検査システムにおける画像再構成」に記載されているオーバースキャン・アルゴリズムであってもよい。この特許出願は、本出願と共通の譲受人に譲渡されており、その全体としてここに参照されるべきものである。オーバースキャン角度は、例えば２２．０°であり得る。
【００８６】
一般的には、部分的に再構成された画像は、この重み付け方式によって得られている。モーション・アーティファクト抑制型重み付けの殆ど（例えば、オーバースキャン重み付け）は、最終の画像に対して、走査の開始時からの寄与を抑制すると共にビューの寄与を徐々に増大させるものであるので、オーバースキャン重み付けは、重み付けがない場合と比較して、部分的に再構成された画像が表示されるにつれて画像から画像へより滑らかな移行を示すようになる。言うまでもなく、他の重み付け方式を用いることもできる。
【００８７】
Ｂ．動的画像再編成
様々な配向、即ちビューから、針の位置を精査することが望ましい場合がある。この需要に応えるために、動的な画像の再編成（ｒｅｆｏｒｍａｔｉｏｎ）を行うことができる。具体的には、アキシャル画像は極めて高速に表示されるので、オペレータは、このアキシャル画像を再編成して再編成された画像をリアル・タイムで表示することができる。従って、オペレータは、様々な角度から針を眺めることができ、また、深さの情報を得ることができる。
【００８８】
画像の再編成は、画像補間によって行われ得る。具体的には、画像の再編成は、物体の切断面を眺めることに関連している。即ち、従来のＣＴ表示装置では、ｚ軸に垂直な一連の画像が形成され表示されている。同じ物体を、ｘ−ｙ軸と４５°の角度をなしてｚ軸と整列している平面に沿って眺めたいならば、ＣＴ画像を表す平面の組によって新たな平面の断面が決定される。一旦、断面が決定されたならば、この決定された断面に沿って元のＣＴ画像を線形補間することにより、再編成された画像を形成することができる。画像再編成アルゴリズムは公知である。
【００８９】
Ｃ．フラット・パネル型表示装置
向上した表示を行うために、フラット・パネル型表示装置を利用してもよい。このような表示装置は、市販されており、ＣＴフルオロ・システムに用いるのに適した表示装置の１つは、米国テキサス州ヒューストン所在のアラス・テクノロジイ社（Ａｌｌｕｓ  Ｔｅｃｈｎｏｌｏｇｙ  Ｃｏｒｐ．）の製品型番ＡＴＣ１２４５Ｂである。表示装置は、一実施例では、１２８０×１０２４ピクセルの構成を有しており、良好な画像分解能を有し、対角線サイズは約１５インチ〜１７インチのものである。言うまでもなく、表示装置は、より小さいものであっても、またはより大きいものであってもよい。
【００９０】
表示装置は、天井吊りされる。このような天井吊りシステムは、市販されており、ＣＴフルオロ・システムに用いるのに適した吊り下げシステムの１つは、米国ニューヨーク州ピッツフィールド所在のマビグ社（Ｍａｖｉｇ）の製品型番６２６２である。吊り下げシステムは、表示装置に前方側または後方側から、及び右側または左側から近付くことができるようにしてガントリ周辺に配置されている。吊り下げシステムは、４つの軸についての配置可能性を許しており、ガントリ・ボア区域の近傍に配置することができる。吊り下げシステムはまた、オペレータによって容易に配置／調節することができるように、均衡配置されており、患者に近付くためには速やかに移動させることができる。表示装置はまた、２つのビューアを収容するためには広い視角を有しているべきであり、また、強化されたユーザ・インタフェイスを提供するためにはカラー表示装置であるべきである。
【００９１】
Ｄ．室内表示装置
ＣＴフルオロ・システムの表示装置と共に用いられるユーザ・インタフェイスを図１１に示す。表示は、ＣＴ／ｉ介入的制御と、３つのメッセージ区域（階層になっており、メッセージ区域＃１、メッセージ区域＃２及びメッセージ区域＃３として示されている）と、画像制御とを含んでいる。介入的制御は、オペレータが表示装置上の画像をビューについて分析すると共に操作することを可能にするものである。例えば、制御は、画像の渡り歩き（ローム、ｒｏａｍｉｎｇ）及びズーム、拡大、並びにフリップ／回転を行うコマンドを含んでいる。制御はまた、角度、距離及び曲線を測定するコマンドも含んでいる。表示を通常の動作表示モードに復帰させるための制御コマンドも提供されている。
【００９２】
制御は更に、画像にユーザ注釈を追加することを可能にするコマンドと、注釈を削除するコマンドとを含んでいる。また、ユーザが、表示されている画像上に、平方センチメートル単位にスケーリングされた格子パターンを重ね表示することを可能にする格子オン／オフ・コマンドも提供されている。
メッセージは、それぞれのメッセージ区域に表示される。最も緊急度の高いメッセージは、区域＃１に表示され、緊急度のやや低いメッセージは、区域＃２に表示され、最も緊急度の低いメッセージは、区域＃３に表示される。
【００９３】
画像制御は、ページ進む及びページ戻るコマンドを含んでいる。ページ進む及びページ戻るコマンドは、オペレータが、所望のメッセージを見出すために区域＃１、区域＃２及び区域＃３に表示されているメッセージを通してページ切り換えを行うことを可能にしている。１画像進む及び１画像戻るコマンドは、オペレータが、表示される画像を選択することを可能にする。捕捉コマンドは、オペレータが、スクリーン上にその時点で表示されている画像を表示メモリ・バッファまたはデータベースに保存することを可能にするものである。捕捉された画像は、表示、分析、フィルム撮影、アーカイブ化及びネットワーク化のために呼び出すことができる。
【００９４】
表示はまた、Ｘ線照射時間を示す２つのクロックを含んでいてもよい。具体的には、第１のクロックは、１回の動作中の照射量を示す。フット・ペダルが始動するごとに、クロックは患者がＸ線に照射される秒数を数え始める。明確に述べると、各々の手順はここでは、９０秒の照射に制限されており、この第１のクロックは、オペレータが患者の照射量及びそのタイミングをよりよく制御するのを助ける。第２のクロックは、患者に対する累積照射時間を示す。例えば、各々の生検施術中に、多数のＸ線「バースト（ｂｕｒｓｔ）」が開始され得る。バーストとバーストとの間に、オペレータには、次のバーストについての最良のアプローチを考察する時間がある。第２のクロックは、現在時刻までに行われた照射の合計量を記録している。これらのクロックは指標として利用され、この指標は、時間（照射の長さ）、全ｍＡｓ（管電流と時間との積）、または患者への全照射量を表す何らかの形式の測定（例えば、器官照射量または皮膚照射量）のいずれに基づいていてもよい。
【００９５】
Ｅ．拡大
多くの分野において、ディジタル画像のリアル・タイムの拡大（ｍａｇｎｉｆｉｃａｔｉｏｎ）が必要とされる。最近接（ｎｅａｒｅｓｔ  ｎｅｉｇｈｂｏｒ）法及び双１次（ｂｉｌｉｎｅａｒ）補間のような幾つかの拡大方法は、汎用グラフィック・パッケージに含まれており、実行速度及び専用のハードウェアについて最適化される。しかしながら、双３次（ｂｉｃｕｂｉｃ）補間等のより質の高い拡大アルゴリズムは含まれていない。従って、双３次補間を近似するが加速されたルーチンを用いているような方法に対する需要が生じる。
【００９６】
以下により詳細に記載するように、このような拡大のために、ディジタル画像の空間的特性を変化させるアルゴリズムを利用することができる。一般的に述べると、１つのアルゴリズムは、２回パス方式を用いており、この方法では、パスの各々は、それぞれｘ方向及びｙ方向における補間に相当している。各々の方向における双３次補間は、線形補間を用い、その後に１次元のコンボリューション（畳み込み）フィルタを用いることにより近似されている。他のアルゴリズムは、双１次補間を最初に適用し、その後に２次元のコンボリューション・フィルタを用いる。これらの方法は、当業界で周知のＯｐｅｎＧＬグラフィック・パッケージを用いて実行され得る。また、線形補間、双１次補間、３次（ｃｕｂｉｃ）補間及び双３次補間は、線形最小自乗推定法と共に、周知の手順である。線形補間及び双１次補間とディジタル・コンボリューション・フィルタとを併用して双３次補間を近似することにより、迅速に実行されるルーチンといった利点を得ることが可能になる。一般的に述べると、これらのアルゴリズムは、線形補間及びディジタル・コンボリューション・フィルタという各関数を用いており、これらの関数は、ＯｐｅｎＧＬにおいて加速されて、双３次補間を近似している。線形補間または双１次補間は、周知定義の関数である。以下に、これらのアルゴリズムに用いられるべきコンボリューション・フィルタの係数について述べる。
【００９７】
より具体的には、第１のアルゴリズムでは、２回パスの線形補間及び１次元フィルタリングが利用される。１回目のパスは、ｘ方向での補間を行い、２回目のパスは、ｙ方向での補間を行うために同じ手順を繰り返す。ｘ方向及びｙ方向における補間は、同一の手順を用いて実現されており、両者の補間が２段階で行われる。線形補間が先ず実行され、次いで、補間されたデータに対して１次元コンボリューション・フィルタが適用される。このアルゴリズムは、任意の整数ズーム・ファクタｎ、及び任意の１次元コンボリューション・フィルタ・サイズｍについて適用することができる。
【００９８】
１次元コンボリューション・フィルタの係数を決定するために、以下の手順が用いられる。この手順の第１のステップは、線形補間である。新たなピクセルの値Ｂi は、ソース画像のピクセル値Ｉi に関して、以下の式によって与えられる。
ｉ＝１，…，ｎ（ｎは奇数）の場合、
Ｂi ＝［（ｎ−ｉ＋１）／ｎ］Ｉi
＋［（ｉ−１）／ｎ］Ｉ2                         （１４）
ｉ＝１，…，ｎ（ｎは偶数）の場合、
Ｂi ＝［（ｎ−ｉ＋０．５）／ｎ］Ｉi
＋［（ｉ−０．５）／ｎ］Ｉ2                     （１５）
線形補間されたピクセルｂi （Ｂi の例；ｉ＝１，２，…，ｍ）を用いて、ｍ×１のコンボリューション・フィルタが適用され、出力ピクセルＯk が得られる。従って、出力ピクセルＯk についての以下の式が得られる。
【００９９】
【数６】
0004236315.tif 000008
【０１００】
ここで、ａi （ｉ＝１，…，ｍ）は、コンボリューション・フィルタの係数である。ｂi （ｉ＝１，…，ｍ）についての式、即ち、式（１４）または式（１５）からの対応するＢopの値を式（１６）に代入すると、以下の式が得られる。
【０１０１】
【数７】
0004236315.tif 000009
【０１０２】
ここで、ｋijは、式（１４）または式（１５）を適用することにより得られる定数の係数である。
双３次補間についての公知の式を用いて、ピクセル値Ｏk についての代替的な式を得ることができる。
【０１０３】
【数８】
0004236315.tif 000010
【０１０４】
ここでｃi は、ｎ倍の拡大の場合での３次補間についての式から導き出された係数である。式（１７）と式（１８）とを対比し、対応する入力ピクセル値ｉj に関して係数同士を等しいと置くと、このフィルタの係数ａm についての４つまでの線形方程式のセットが得られる。
【０１０５】
【数９】
0004236315.tif 000011
【０１０６】
双１次補間によって得られ、コンボリューション・フィルタによって用いられるピクセルが、いくつかの入力ピクセルｉj からは寄与を受けていないならば、等式を４つよりも少なくすることができる。この場合には、等式の数は、このようなピクセルの数だけ減少する。
同じ手順が、入力ピクセルに対して異なる位置を有しているｎ個の連続した出力ピクセルＯi （ｉ＝１，…，ｎ）のセットについて繰り返され、コンボリューション・フィルタ係数用の線形方程式の系が得られる。
【０１０７】
この系は、行列形態で以下のように表すことができる。
Ｃ＝ＫＡ                                                  （２０）
ここで、Ｃは、式（１８）の右辺に由来した対応する係数ｃi から成るベクトルであり、またＫは、上述の線形方程式の係数ｋijから成る行列であり、またＡは、ｍ個のフィルタ係数ａi （ｉ＝１，…，ｍ）から成るベクトルである。ズーム・ファクタｎ及びフィルタ・サイズｍの実際的な値については、この行列は、線形方程式の過剰決定（ｏｖｅｒｄｅｔｅｒｍｉｎｅｄ）系に相当する。この場合には、解は、線形最小自乗法を用いることにより決定され、この解は、以下の形態を有している。
【０１０８】
Ａ＝（ＫT Ｋ）-1ＫT Ｃ                                    （２１）
適用されるべきコンボリューション・フィルタの係数Ａを決定すると、ディジタル画像の空間特性を変化させる手順全体が定義されたことになる。
第２のアルゴリズムは、双１次補間及びその後に２次元コンボリューション・フィルタを適用することを含んでいる２段階の手順を利用したものである。この第２のアルゴリズムは、任意の整数ズーム・ファクタｎ、及び任意の２次元コンボリューション・フィルタ・サイズｍについて適用することができる。
【０１０９】
上述のように、第１のステップは、双１次補間である。ファクタｎ（ｎ倍）の拡大の場合には、新たなズームされた画像においてはｎ2 個のピクセルが存在し、これらのピクセルは、ソース画像のピクセルに関して根本的に異なる位置を有している。新たなピクセルの値Ｂijは、ソース画像のピクセル値Ｉijに関して、以下の式によって与えられる。
【０１１０】
ｉ，ｊ＝１，…，ｎ（ｎは奇数）の場合、
Ｂij＝［（ｎ−ｉ＋１）（ｎ−ｊ＋１）／ｎ2 ］Ｉ11
＋［（ｎ−ｉ＋１）（ｊ−１）／ｎ2 ］Ｉ12
＋［（ｉ−１）（ｎ−ｊ＋１）／ｎ2 ］Ｉ21
＋［（ｉ−１）（ｊ−１）／ｎ2 ］Ｉ22              （２２）
ｉ，ｊ＝１，…，ｎ（ｎは偶数）の場合、
Ｂij＝［（ｎ−ｉ＋０．５）（ｎ−ｊ＋０．５）／ｎ2 ］Ｉ11
＋［（ｎ−ｉ＋０．５）（ｊ−０．５）／ｎ2 ］Ｉ12
＋［（ｉ−０．５）（ｎ−ｊ＋０．５）／ｎ2 ］Ｉ21
＋［（ｉ−０．５）（ｊ−０．５）／ｎ2 ］Ｉ22      （２３）
ｂij（Ｂijの例）についての値は、式（２２）または式（２３）における表現を用い、入力画像でのｂijの位置に応じてＩij、ｉ及びｊに適当な値を代入することにより算出することができる。双１次補間されたピクセルｂij（ｉ，ｊ＝１，２，…，ｍ）を用いて、ｍ×ｍのコンボリューション・フィルタが適用され、出力ピクセルが得られる。出力ピクセルＯkiについて、以下の式が得られる。
【０１１１】
【数１０】
0004236315.tif 000012
【０１１２】
ここで、ａij（ｉ，ｊ＝１，…，ｍ）は、コンボリューション・フィルタの係数である。ｂij（ｉ，ｊ＝１，…，ｍ）についての式、即ち、式（２２）または式（２３）からの対応するＢopの値を、式（２４）に代入すると、以下の式が得られる。
【０１１３】
【数１１】
0004236315.tif 000013
【０１１４】
ここで、ｋijklは、式（２２）または式（２３）を適用することにより得られる定数の係数である。
双３次補間についての公知の式を用いて、ピクセル値Ｏkiについての代替的な式を得ることができる。
【０１１５】
【数１２】
0004236315.tif 000014
【０１１６】
ここでｃijは、ｎ倍の拡大の場合での双３次補間についての式から導き出された係数である。式（２５）と式（２６）とを対比し、対応する入力ピクセル値Ｉijに関して係数同士を等しいと置くと、このフィルタの係数ａmnについての１６までの線形方程式のセットが得られる。
【０１１７】
【数１３】
0004236315.tif 000015
【０１１８】
双１次補間によって得られ、コンボリューション・フィルタによって用いられるピクセルが、いくつかの入力ピクセルＩijからは寄与を受けていないならば、式を１６よりも少なくすることができる。この場合には、式の数は、このようなピクセルの数だけ減少する。この手順を出力ピクセルＯij（ｉ，ｊ＝１，…，ｎ）のすべてについて繰り返すとコンボリューション・フィルタ係数用の線形方程式の系が得られる。
【０１１９】
この系は、行列形態で以下のように表すことができる。
Ｃ＝ＫＡ                                                  （２８）
ここで、Ｃは、式（２６）の右辺に由来した対応する係数ｃijから成るベクトルであり、Ｋは、上述の線形方程式の係数ｋijklから成る行列であり、Ａは、フィルタ係数ａij（ｉ，ｊ＝１，…，ｍ）から成るベクトルである。ズーム・ファクタｎ及びフィルタ・サイズｍの実際的な値については、この行列は、線形方程式の過剰決定系に相当する。この場合には、解は、線形最小自乗法を用いて決定され、この解は、以下の形態を有している。
【０１２０】
Ａ＝（ＫT Ｋ）-1ＫT Ｃ                                    （２９）
適用されるべきコンボリューション・フィルタの係数Ａを決定すると、ディジタル画像の空間特性を変化させる手順全体が定義されたことになる。
以上に述べたＣＴフルオロ・システムは、許容可能な画質を提供しながら、公知のフルオロ・システムよりも増大したフレーム・レートを有している。言うまでもなく、このシステムは、上述のアルゴリズムからいくつかのみを選択したもの、及びこれらのアルゴリズムの選択された組み合わせを実現していればよいのであって、必ずしもすべてのアルゴリズムを実現していなければならないわけではない。
【０１２１】
本発明の様々な実施例に関する以上の記述から、本発明の目的が達成されたことは明らかである。本発明を詳細にわたって記述すると共に図解したが、これらは説明及び例示のみを意図したものであり、限定のためのものであると解釈してはならないことを明瞭に理解されたい。従って、本発明の要旨は、特許請求の範囲によって限定されるものとする。
【図面の簡単な説明】
【図１】ＣＴイメージング・システムの見取り図である。
【図２】図１に示すシステムのブロック概略図である。
【図３】本発明のシステムを用いて、標準的な走査モードからフルオロ・モードへ転換することに関連してオペレータにより実行される複数のステップを示す流れ図の一部である。
【図４】本発明のシステムを用いて、標準的な走査モードからフルオロ・モードへ転換することに関連してオペレータにより実行される複数のステップを示す流れ図の別の一部である。
【図５】本発明のシステムを用いて、標準的な走査モードからフルオロ・モードへ転換することに関連してオペレータにより実行される複数のステップを示す流れ図の別の一部である。
【図６】フルオロ走査の実行に関連してＣＴシステムによって実行される複数のステップを示す流れ図である。
【図７】本発明の一実施例による一体型コントローラの概略図である。
【図８】エイリアシング・アーティファクトを減少させることに関連して用いられる実際の投影データ及び形成される投影データのグラフ図である。
【図９】画像形成ボードの一例の概略図である。
【図１０】ビュー角度βについてのファン・ビーム投影を示す図である。
【図１１】ＣＴフルオロ・システム表示装置と共に用いられるユーザ・インタフェイスを示す図である。
【符号の説明】
１０    ＣＴシステム
１２    ガントリ
１４    Ｘ線源
１６    Ｘ線ビーム
１８    検出器配列
２０    検出器素子
２２    患者
２４    回転中心
２６    制御機構
２８    Ｘ線制御装置
３０    ガントリ・モータ制御装置
３２    データ収集システム（ＤＡＳ）
３４    画像再構成装置
３６    コンピュータ
３８    大容量記憶装置
４０    コンソール
４２    表示装置
４４    テーブル・モータ制御装置
４６    患者テーブル
４８    ガントリ開口
１００    手元式一体型コントローラ
１０８    「プレップ」コマンド・ボタン
１１０    「整列補助灯」コマンド・ボタン
１１２、１２４、１２８    ＬＥＤ
１１４    「テーブル送入」コマンド・ボタン
１１６    「テーブル送出」コマンド・ボタン
１１８    「段階送入」コマンド・ボタン
１２０    「段階送出」コマンド・ボタン
１２２    走査用移動コマンド・ボタン
１２６    自動移動コマンド・ボタン
１３０    架台自由移動コマンド・ボタン
１３２    「ページ戻る／進む」コマンド・ボタン
１３４    「保存」コマンド・ボタン
１３６    「格子」コマンド・ボタン
１３８    「プリセット・ウィンドウ／レベル」コマンド・ボタン
【図１】
0004236315.tif 000016
【図２】
0004236315.tif 000017
【図３】
0004236315.tif 000018
【図４】
0004236315.tif 000019
【図５】
0004236315.tif 000020
【図６】
0004236315.tif 000021
【図７】
0004236315.tif 000022
【図８】
0004236315.tif 000023
【図９】
0004236315.tif 000024
【図１０】
0004236315.tif 000025
【図１１】
0004236315.tif 000026